(57)【要約】  【課題】販売対応面を照明する主照明を商品見本パネルごとに分割することで、主照明を消灯させないで部分的に点滅させることが可能になり、省エネルギを損なうことなく利用者に遠方からでも販売許容状態であることをアピールする効果を高めた自動販売機を提供する。  【解決手段】販売対応面に商品見本パネル単位に分割された照明手段４３と任意に設定された照明モードに従い照明手段４３を制御する制御部８１ａを設けることで、照明手段４３を全消灯することなく商品見本パネルの一部を点灯させることが可能となり、省エネルギを図りながら、販売許容状態をアピールすることができる。【選択図】図３
2009042882.tif 000002
【特許請求の範囲】
【請求項１】
自動販売機の外扉前面に設けられ視認可能に形成された樹脂製の化粧パネルと、前記化粧パネルの後方に商品見本パネルと前記商品見本パネルを後方から照らす照明手段とを有する商品展示部と、前記自動販売機の販売対応面に設けられ貨幣が投入される金銭投入部の位置を知らせる投入口照明部とを備え、販売待機状態で前記照明手段を前記商品見本パネル単位で点灯あるいは消灯させ、前記投入口照明部は前記照明手段の照明制御に関係無く常に点灯させることを特徴とする自動販売機。
【請求項２】
自動販売機の周囲に人が近づいたことを検知するための人感検知手段を備え、前記人感検知手段により人が検知されたと同時に商品見本パネルの照明手段をすべて点灯させることを特徴とする請求項１に記載の自動販売機。
【請求項３】
時間帯別に照明手段の点滅方法を設定するための時間帯別点滅設定手段を備え、時間帯別に商品見本パネルごとに照明手段の点滅を制御することを特徴とする請求項２に記載の自動販売機。
【請求項４】
売切れ商品に対応する商品見本パネルの照明手段の販売待機状態での消灯を設定するための点滅切替手段を備え、売切れ商品に対応する商品見本パネルの照明手段を消灯することを特徴とする請求項２に記載の自動販売機。
【請求項５】
自動販売機の周囲の明るさを検知するための照度検知手段を備え、前記照度検知手段により検知された明るさの大きさにより商品見本パネルの照明手段の点滅パターンを変更することを特徴とする請求項２に記載の自動販売機。
【請求項６】
自動販売機の商品見本パネルの照明手段の点滅パターンを設定するための照明パターン設定手段を備え、前記自動販売機が設置されているロケーションにより前記商品見本パネルの照明手段の点滅パターンを任意に選択できることを特徴とする請求項２に記載の自動販売機。
【発明の詳細な説明】
【技術分野】
【０００１】
本発明は、自動販売機の販売対応面を照明する照明装置を有する自動販売機に関するものである。
【背景技術】
【０００２】
近年、この種の自動販売機の照明装置は、省エネルギや環境へのマッチに対応して照明装置を消灯させながらも、遠方から自動販売機の電源が切れて販売しないと勘違いされないよう硬貨投入口の周囲を表示ランプで光らせているものがある（例えば、特許文献１参照）。
【０００３】
以下、図面を参照しながら、従来の自動販売機について説明する。
【０００４】
図１５は、特許文献１に記載された従来の自動販売機の正面図である。
【０００５】
図１５に示すように、従来の自動販売機１１は、販売対応面１４と、販売対応面１４を照明する主照明部７１と、貨幣が投入される投入口４４と、投入口４４に対応する投入口照明部５２から構成されている。
【０００６】
以上のように構成された従来の自動販売機について、以下その動作を説明する。
【０００７】
自動販売機１１が販売許容状態で、販売対応面１４を照明する主照明部７１が消灯されているときに投入口４４に対応する投入口照明部５２を点灯させることにより、主照明部の消灯によって省エネルギを図りつつ、主照明部の消灯状態でも販売許容状態にあることを利用者に明示可能とする。
【特許文献１】特開２０００−１３７８６３号公報
【発明の開示】
【発明が解決しようとする課題】
【０００８】
しかしながら上記従来の特許文献１の構成では、販売対応面１４の投入口４４に対応する投入口照明部５２を点灯させることで販売許容状態であることを利用者に知らせようとしているが、販売対応面１４を照明する主照明部７１を消灯させるため、遠方からでは販売許容状態であるかを判別しにくいという課題を有していた。
【０００９】
本発明は上記従来の課題を解決するもので、販売対応面を照明する主照明を商品見本パネルごとに分割することで、主照明を消灯させないで部分的に点滅させることが可能になり、省エネルギを損なうことなく利用者に遠方からでも販売許容状態であることをアピールする効果を高めた自動販売機を提供することを目的とする。
【課題を解決するための手段】
【００１０】
上記従来の課題を解決するために、本発明の自動販売機は、自動販売機の外扉前面に設けられ視認可能に形成された樹脂製の化粧パネルと、前記化粧パネルの後方に商品見本パネルと前記商品見本パネルを後方から照らす照明手段とを有する前記見本パネルごとに区画形成された商品展示スペースと、前記自動販売機の販売対応面に設けられ貨幣が投入される投入口と、前記投入口に対応して設けられた投入口照明部と、少なくとも販売待機状態で前記照明手段を前記商品見本パネル単位で点滅させる制御部を備えていることを特徴としたものである。
【００１１】
これによって、商品見本パネルごとに照明を点滅させることが可能になることで、省エネルギを損なうことなく販売許容状態をアピールすることができる。
【００１２】
また、本発明の請求項２に記載の発明は、請求項１に記載の発明に、さらに、自動販売機の周囲に人が近づいたことを検知するための人感検知手段を備えていることを特徴としたものである。
【００１３】
これによって、人感検知手段により人が検知されたと同時に商品見本パネルの照明手段をすべて点灯させることができる。
【００１４】
また、本発明の請求項３に記載の発明は、請求項２に記載の発明に、さらに、時間帯別に照明手段の点滅方法を設定するための時間帯別点滅設定手段を備えていることを特徴としたものである。
【００１５】
これによって、時間帯別に商品見本パネルごとに照明手段の点滅を制御することができる。
【００１６】
また、本発明の請求項４に記載の発明は、請求項２に記載の発明に、さらに、売切れ商品に対応する商品見本パネルの照明手段の販売待機状態での消灯を設定するための点滅切替手段を備えていることを特徴としたものである。
【００１７】
これによって、売切れ商品に対応する商品見本パネルの照明手段を消灯することができる。
【００１８】
また、本発明の請求項５に記載の発明は、請求項２に記載の発明に、さらに、自動販売機の周囲の明るさを検知するための照度検知手段を備えていることを特徴としたものである。
【００１９】
これによって、照度検知手段により検知された明るさの大きさにより商品見本パネルの照明手段の点滅パターンを変更することができる。
【００２０】
また、本発明の請求項６に記載の発明は、請求項２に記載の発明に、さらに、自動販売機の商品見本パネルの照明手段の点滅パターンを設定するための照明パターン設定手段を備えていることを特徴としたものである。
【００２１】
これによって、前記自動販売機が設置されているロケーションにより前記商品見本パネルの照明手段の点滅パターンを任意に選択できる。
【発明の効果】
【００２２】
本発明の自動販売機は、商品見本パネルごとに照明を点滅することが可能になり、商品展示スペースに配置された主照明を全消灯することなく部分点灯または点滅させることにより、遠方からでも販売許容状態にあることを利用者にアピールでき、販売機会を逃すことなく、省エネルギを行うことができる。さらに、人感センサ等を設けることで、利用者が近づいたときには照明を全灯へ切替することが可能になり、利用者の販売意欲を高めることができる。
【発明を実施するための最良の形態】
【００２３】
請求項１に記載の発明は、自動販売機の外扉前面に設けられ視認可能に形成された樹脂製の化粧パネルと、前記化粧パネルの後方に商品見本パネルと前記商品見本パネルを後方から照らす照明手段とを有する商品展示部と、前記自動販売機の販売対応面に設けられ貨幣が投入される金銭投入部の位置を知らせる投入口照明部とを備え、販売待機状態で前記照明手段を前記商品見本パネル単位で点灯あるいは消灯させ、前記投入口照明部は前記照明手段の照明制御に関係無く点灯させることにより、これによって、商品見本パネルごとに照明を点滅させることが可能になり、周囲が暗い場合でも販売中であることをアピールでき、投入口照明部は常に点灯表示されているので利用者の金銭投入動作を誘導することができる。
【００２４】
請求項２に記載の発明は、請求項１に記載の発明にさらに、自動販売機の周囲に人が近づいたことを検知するための人感検知手段を備えることにより、これによって、人感検知手段により人が検知されたと同時に商品見本パネルの照明手段をすべて点灯させることができる。
【００２５】
請求項３に記載の発明は、請求項２に記載の発明にさらに、時間帯別に照明手段の点滅方法を設定するための時間帯別点滅設定手段を備えたことにより、これによって、時間帯別に商品見本パネルごとに照明手段の点滅を制御することができる。
【００２６】
請求項４に記載の発明は、請求項２に記載の発明にさらに、売切れ商品に対応する商品見本パネルの照明手段の販売待機状態での消灯を設定するための点滅切替手段を備えたことにより、これによって、売切れ商品に対応する商品見本パネルの照明手段を消灯することができる。
【００２７】
請求項５に記載の発明は、請求項２に記載の発明にさらに、自動販売機の周囲の明るさを検知するための照度検知手段を備えたことにより、これによって、照度検知手段により検知された明るさの大きさにより商品見本パネルの照明手段の点滅パターンを変更することができる。
【００２８】
請求項６に記載の発明は、請求項２に記載の発明にさらに、自動販売機の商品見本パネルの照明手段の点滅パターンを設定するための照明パターン設定手段を備えたことにより、これによって、前記自動販売機が設置されているロケーションにより前記商品見本パネルの照明手段の点滅パターンを任意に選択できる。
【００２９】
以下、本発明の実施の形態について、図面を参照しながら説明するが、先に説明した実施の形態と同一構成については同一符号を付して、その詳細な説明は省略する。なお、この実施の形態によってこの発明が限定されるものではない。
【００３０】
（実施の形態１）
図１は、本発明の実施の形態１における自動販売機の正面図である。図２は、図１のＡ−Ａ断面図である。
【００３１】
図３は、本発明の実施の形態１における自動販売機の機能ブロック図である。図４は、同実施の形態の動作を示すフローチャートである。
【００３２】
図１において、自動販売機本体１１の前面に外扉３１が開閉自在に備えられ、この外扉３１の前面が販売対応面１４として構成されている。販売対応面１４は、商品見本パネル３２を展示した商品展示部３３が構成されている。商品展示部３３は、樹脂製の透明板で形成された矩形状の化粧パネル３４が個々に独形成されて構成されている。図１の場合、複数個の化粧パネル３４が群となって、外扉３１の左右に分かれて構成されている。各々の化粧パネル３４の下部には商品選択ボタン３８が構成されている。図示しないがこの商品選択ボタン３８には、販売可能ランプおよび売り切れランプが内蔵されている。
【００３３】
商品展示部３３の下方には、金銭投入部３６を有し、金銭投入部３６の内部には投入部の位置を利用者に知らせる投入口照明部３６ａが備えられている。投入口照明部３６ａはＬＥＤで構成されているので、照明寿命が長く省エネを図ることができる。外扉３１の下部には選択された商品を排出する商品取出口３７が備えられている。
【００３４】
次に商品展示部の構造について説明する。
【００３５】
図２のように、商品展示部３３で、化粧パネル３４の後方には商品展示スペース４０が形成されており、化粧パネル３４の上下部には、この商品展示スペース４０を区画する区画壁４１が構成されている。区画壁４１は、商品展示スペース４０の背面を仕切る回動自在な内扉４２まで延在して構成されている。
【００３６】
また、商品展示スペース４０内には商品見本パネル３２を後方から照明する照明手段４３を有している。照明手段４３はＬＥＤ素子を用いたものである。
【００３７】
図３は制御系の機能ブロック図を示し、８１ａは制御部で、この制御部８１ａには、紙幣処理装置８２、硬貨処理装置４７、商品選択ボタン３８、照明手段４３が接続されている。
【００３８】
以上のように構成された自動販売機について、以下その制御部８１ａの動作、作用を図４のフローチャートをもとにして説明する。
【００３９】
まず、販売許容状態にあるかを判断し（ＳＴＥＰ１）、商品の全売り切れなど販売許容状態でなければ照明制御処理を終了する。販売許容状態であれば、商品見本パネル３２ごとに照明手段４３を順番に点滅させたり、特定の箇所の照明手段４３を点滅させるなどのイルミネーション動作を、あらかじめ任意に設定された照明モードに従い照明手段４３を実行指令する（ＳＴＥＰ２）。
【００４０】
すべての商品見本パネル３２は全消灯することなく、少なくとも１つの商品見本パネルが点灯あるいは点滅制御するように、商品見本パネル３２をランダムに照明して、販売中であることをアピールする。
【００４１】
また、紙幣処理装置８２や硬貨処理装置４７への入金、カードなどの電子マネーの検知部への接触、商品選択ボタン３８が押されるなど商品購入動作の有無を判断し（ＳＴＥＰ３）、商品購入動作がないときは、あらかじめ任意に設定された照明モードを継続する。商品購入動作があったときには、照明手段４３をすべて点灯させ（ＳＴＥＰ４）、利用者が購入しやすいようにする。さらに、販売が終了してから所定時間が計経過したら（ＳＴＥＰ５）、あらかじめ任意に設定された照明モードで照明手段４３の制御を再開する。
【００４２】
また上記のように照明制御されている間、投入口照明部３６ａは周囲の明暗にかかわらず常に点灯表示されているので利用者の金銭投入を誘導することができ、販売促進を図ることができる。
【００４３】
以上のように本実施の形態においては、商品見本パネルごとに照明を点滅させることが可能になることで省エネを図りながら、夜間でも販売中であることをアピールすることができる。
【００４４】
（実施の形態２）
図５は、本発明の実施の形態２における自動販売機の機能ブロック図である。図６は、同実施の形態の動作を示すフローチャートである。
【００４５】
図５において、人感検知手段８４は制御部８１ｂに接続し、自動販売機１１の販売対応面１４の前方ならびに前方付近に人が近づいたことを検知するためのもので、例えば、赤外線センサ、超音波センサ、光電スイッチ、光センサ、カメラなどで構成され、自動販売機１１の販売対応面１４の前方ならびに前方付近を検知領域とし、この検知領域に進入する人体を検知する。
【００４６】
本実施の形態は、実施の形態１による自動販売機に、さらに、自動販売機１１の周囲に人が近づいたことを検知するための人感検知手段８４を設けたものである。
【００４７】
以上のように構成された自動販売機について、以下その制御部８１ｂの動作、作用を図６のフローチャートをもとにして説明する。
【００４８】
まず、販売許容状態にあるかを判断し（ＳＴＥＰ１）、商品の全売り切れなど販売許容状態でなければ照明制御処理を終了する。販売許容状態であれば、商品見本パネル３２ごとに照明手段４３を順番に点滅させたり、特定の箇所の照明手段４３を点滅させるなどのイルミネーション動作を、あらかじめ任意に設定された照明モードに従い照明手段４３を実行指令する（ＳＴＥＰ２）。
【００４９】
人体検知手段８４により人が検知されたか判断し（ＳＴＥＰ６）、人が検知されていなければ、あらかじめ任意に設定された照明モードを継続する。人が検知されたならば、照明手段４３をすべて点灯させ（ＳＴＥＰ４）、利用者へ自動販売機１１の存在をアピールするとともに購入しやすいようにする。また、人感検知手段８４の故障などにより照明手段４３があらかじめ任意に設定された照明モードを継続していたときには、紙幣処理装置８２や硬貨処理装置４７への入金、カードなどの電子マネーの検知部への接触、商品選択ボタン３８が押されるなど商品購入動作の有無を判断し（ＳＴＥＰ３）、商品購入動作がないときは、イルミネーション動作を継続する。商品購入動作があったときには、照明手段４３をすべて点灯させ（ＳＴＥＰ４）、利用者が購入しやすいようにする。
【００５０】
さらに、人感検知手段８４で人体を検知しなくなってから所定時間が計経過したら（ＳＴＥＰ５）、あらかじめ任意に設定された照明モードで照明手段４３の制御を再開する。
【００５１】
（実施の形態３）
図７は、本発明の実施の形態３における自動販売機の機能ブロック図である。図８は、同実施の形態の動作を示すフローチャートである。
【００５２】
図７において、時間帯別点滅設定手段１００は制御部８１ｃに接続し、時間帯別に商品見本パネル３２ごとに照明手段４３の点滅を制御するためのもので、室内での販売や夜間販売など販売状況に応じて照明手段４３の点滅制御をする。
【００５３】
本実施の形態は、実施の形態２による自動販売機に、さらに、時間帯別に照明手段４３の点滅方法を設定するための時間帯別点滅設定手段１００を設けたものである。
【００５４】
以上のように構成された自動販売機について、以下その制御部８１ｃの動作、作用を図８のフローチャートをもとにして説明する。
【００５５】
まず、販売許容状態にあるかを判断し（ＳＴＥＰ１）、商品の全売り切れなど販売許容状態でなければ照明制御処理を終了する。販売許容状態であれば、現在の時間帯が時間帯別点滅設定手段１００により設定された省エネ時間帯であるか判断し（ＳＴＥＰ７）、省エネ時間帯でなければ照明手段４３をすべて点灯（ＳＴＥＰ８）を行うことで販売の多い時間帯などには集客効果を低下させない。
【００５６】
省エネ時間帯ならば商品見本パネルごとに照明手段４３を順番に点滅させたり、特定の箇所の照明手段４３を点滅させるなどのイルミネーション動作を、あらかじめ任意に設定された照明モードに従い照明手段４３を実行指令する（ＳＴＥＰ２）。人体検知手段８４により人が検知されたか判断し（ＳＴＥＰ６）、人が検知されていなければ、あらかじめ任意に設定された照明モードを継続する。人が検知されたならば、照明手段４３をすべて点灯させ（ＳＴＥＰ４）、利用者へ自動販売機１１の存在をアピールするとともに購入しやすいようにする。
【００５７】
また、人感検知手段８４の故障などにより照明手段４３があらかじめ任意に設定された照明モードを継続していたときには、紙幣処理装置８２や硬貨処理装置４７への入金、カードなどの電子マネーの検知部への接触、商品選択ボタン３８が押されるなど商品購入動作の有無を判断し（ＳＴＥＰ３）、商品購入動作がないときは、イルミネーション動作を継続する。商品購入動作があったときには、照明手段４３をすべて点灯させ（ＳＴＥＰ４）、利用者が購入しやすいようにする。
【００５８】
さらに、人感検知手段８４で人体を検知しなくなってから所定時間が計経過したら（ＳＴＥＰ５）、あらかじめ任意に設定された照明モードで照明手段４３の制御を再開する。
【００５９】
（実施の形態４）
図９は、本発明の実施の形態４における自動販売機の機能ブロック図である。図１０は、同実施の形態の動作を示すフローチャートである。
【００６０】
図９において、点滅切替手段１０１は制御部８１ｄに接続し、売切れ商品に対応する商品見本パネルの照明手段の販売待機状態での消灯を設定するためのもので、売り切れ商品に対応した商品見本パネル３２を消灯させることで利用者が売り切れ商品をわかりやすくなる。
【００６１】
本実施の形態は、実施の形態２による自動販売機に、さらに、売切れ商品に対応する商品見本パネルの照明手段の販売待機状態での消灯を設定するための点滅切替手段１０１を設けたものである。
【００６２】
以上のように構成された自動販売機について、以下その制御部８１ｄの動作、作用を図１０のフローチャートをもとにして説明する。
【００６３】
まず、販売許容状態にあるかを判断し（ＳＴＥＰ１）、商品の全売り切れなど販売許容状態でなければ照明制御処理を終了する。販売許容状態であれば、売切れ商品に対応する商品見本パネル３２が点滅切替手段１０１によって消灯に設定されているか判断し（ＳＴＥＰ９）、消灯に設定されていないならば商品見本パネルごとに照明手段４３を順番に点滅させたり、特定の箇所の照明手段４３を点滅させるなどのイルミネーション動作を、あらかじめ任意に設定された照明モードに従い照明手段４３を実行指令する（ＳＴＥＰ２）。消灯に設定されているならば、あらかじめ任意に設定された照明モードに売切れ商品に対応する商品見本パネル３２の照明手段４３への点灯指示があっても消灯を優先させる（ＳＴＥＰ１０）。
【００６４】
人体検知手段８４により人が検知されたか判断し（ＳＴＥＰ６）、人が検知されていなければ、あらかじめ任意に設定された照明モードを継続する。人が検知されたならば、点滅切替手段１０１によって消灯に設定されていないならば照明手段４３をすべて点灯させ（ＳＴＥＰ４）、消灯に設定されているならば売切れ商品に対応する商品見本パネル３２の照明手段４３のみ消灯し、それ以外の照明手段４３はすべて点灯させ（ＳＴＥＰ１１）、利用者へ自動販売機１１の存在をアピールするとともに購入しやすいようにする。また、人感検知手段８４の故障などにより照明手段４３があらかじめ任意に設定された照明モードを継続していたときには、紙幣処理装置８２や硬貨処理装置４７への入金、カードなどの電子マネーの検知部への接触、商品選択ボタン３８が押されるなど商品購入動作の有無を判断し（ＳＴＥＰ３）、商品購入動作がないときは、イルミネーション動作を継続する。
【００６５】
商品購入動作があったときには、点滅切替手段１０１によって消灯に設定されているか判断し（ＳＴＥＰ９）、消灯に設定されていないならば照明手段４３をすべて点灯させ（ＳＴＥＰ４）、消灯に設定されているならば売切れ商品に対応する商品見本パネル３２の照明手段４３のみ消灯し、それ以外の照明手段４３はすべて点灯させ（ＳＴＥＰ１１）、利用者が購入しやすいようにする。
【００６６】
さらに、人感検知手段８４で人体を検知しなくなってから所定時間が計経過したら（ＳＴＥＰ５）、消灯に設定されていないならばあらかじめ任意に設定された照明モードで照明手段４３の制御を再開し、消灯に設定されているならば、あらかじめ任意に設定された照明モードに売切れ商品に対応する商品見本パネル３２の照明手段４３への点灯指示があっても消灯する。
【００６７】
（実施の形態５）
図１１は、本発明の実施の形態５における自動販売機の機能ブロック図である。図１２は、同実施の形態の動作を示すフローチャートである。
【００６８】
図１１において、照度検知手段１０２は制御部８１ｅに接続し、自動販売機の周囲の明るさを検知するためのもので、例えば、照度センサ、光センサなどで構成され、照度検知手段１０２により検知された明るさの大きさにより商品見本パネル３２の照明手段４３の点滅パターンを変更することで設置場所の状況応じた照明制御が可能となる。
【００６９】
本実施の形態は、実施の形態２による自動販売機に、さらに、自動販売機の周囲の明るさを検知するための照度検知手段１０２を設けたものである。
【００７０】
以上のように構成された自動販売機について、以下その制御部８１ｅの動作、作用を図１２のフローチャートをもとにして説明する。
【００７１】
まず、販売許容状態にあるかを判断し（ＳＴＥＰ１）、商品の全売り切れなど販売許容状態でなければ照明制御処理を終了する。販売許容状態であれば、照度検知手段１０２により明るさを判断し（ＳＴＥＰ１２）、周囲が暗い場所では商品見本パネル３２ごとに照明手段４３を順番に点滅させたり、特定の箇所の照明手段４３を点滅させるなどのイルミネーション動作を、あらかじめ任意に設定された照明モードに従い照明手段４３を実行指令する（ＳＴＥＰ２）。
【００７２】
周囲が明るい場合には照明手段４３を消灯させる（ＳＴＥＰ１３）。また、省エネ優先ではなく、周囲が明るい場合であっても販売状況の多い場所などでは、照明手段４３を激しく点滅させることで集客効果を狙うように設定してもよい。人体検知手段８４により人が検知されたか判断し（ＳＴＥＰ６）、人が検知されていなければ、周囲の明るさのよってあらかじめ任意に設定された照明モードを継続する。
【００７３】
人が検知されたならば、照明手段４３をすべて点灯させ（ＳＴＥＰ４）、利用者へ自動販売機１１の存在をアピールするとともに購入しやすいようにする。また、人感検知手段８４の故障などにより照明手段４３があらかじめ任意に設定された照明モードを継続していたときには、紙幣処理装置８２や硬貨処理装置４７への入金、カードなどの電子マネーの検知部への接触、商品選択ボタン３８が押されるなど商品購入動作の有無を判断し（ＳＴＥＰ３）、商品購入動作がないときは、イルミネーション動作を継続する。商品購入動作があったときには、照明手段４３をすべて点灯させ（ＳＴＥＰ４）、利用者が購入しやすいようにする。さらに、人感検知手段８４で人体を検知しなくなってから所定時間が計経過したら（ＳＴＥＰ５）、周囲の明るさのよってあらかじめ任意に設定された照明モードで照明手段４３の制御を再開する。
【００７４】
（実施の形態６）
図１３は、本発明の実施の形態６における自動販売機の機能ブロック図である。図１４は、同実施の形態の動作を示すフローチャートである。
【００７５】
図１３において、照明パターン設定手段１０３は制御部８１ｆに接続し、自動販売機１１の商品見本パネル３２の照明手段４３の点滅パターンを設定するためのもので、自動販売機１１が設置されているロケーションにより商品見本パネル３２の照明手段４３の点滅パターンを任意に選択できることでロケーション状況応じた照明制御が可能となる。
【００７６】
本実施の形態は、実施の形態２による自動販売機に、さらに、自動販売機の商品見本パネルの照明手段の点滅パターンを設定するための照明パターン設定手段を設けたものである。
【００７７】
以上のように構成された自動販売機について、以下その制御部８１ｆの動作、作用を図１４のフローチャートをもとにして説明する。
【００７８】
まず、販売許容状態にあるかを判断し（ＳＴＥＰ１）、商品の全売り切れなど販売許容状態でなければ照明制御処理を終了する。販売許容状態であれば、商品見本パネル３２ごとに照明手段４３を順番に点滅させたり、特定の箇所の照明手段４３を点滅させるなどのイルミネーション動作を、リモコンなどの照明パターン設定手段１０３によりロケーション応じて設定された照明モードに従い照明手段４３を実行指令する（ＳＴＥＰ１４）。人体検知手段８４により人が検知されたか判断し（ＳＴＥＰ６）、人が検知されていなければ、あらかじめ任意に設定された照明モードを継続する。人が検知されたならば、照明手段４３をすべて点灯させ（ＳＴＥＰ４）、利用者へ自動販売機１１の存在をアピールするとともに購入しやすいようにする。
【００７９】
また、人感検知手段８４の故障などにより照明手段４３があらかじめ任意に設定された照明モードを継続していたときには、紙幣処理装置８２や硬貨処理装置４７への入金、カードなどの電子マネーの検知部への接触、商品選択ボタン３８が押されるなど商品購入動作の有無を判断し（ＳＴＥＰ３）、商品購入動作がないときは、イルミネーション動作を継続する。商品購入動作があったときには、照明手段４３をすべて点灯させ（ＳＴＥＰ４）、利用者が購入しやすいようにする。さらに、人感検知手段８４で人体を検知しなくなってから所定時間が計経過したら（ＳＴＥＰ５）、照明パターン設定手段１０３によりロケーション応じて設定された照明モードで照明手段４３の制御を再開する。
【産業上の利用可能性】
【００８０】
以上のように、本発明にかかる自動販売機は、化粧パネルを個別点灯又は消灯等が可能になり、特に推奨したい商品には点灯方法や照度、色彩等を変更し、商品購入者への商品アピールが向上し、宣伝効果を高めることや、自動販売機全体のデザインイメージを変えることにもなり、カップ式自動販売機や店舗等のショーウィンドや標識板等の用途にも適用できる。
【図面の簡単な説明】
【００８１】
【図１】本発明の実施の形態１における自動販売機の正面図
【図２】図１のＡ−Ａ断面図
【図３】本発明の実施の形態１における自動販売機の機能ブロック図
【図４】実施の形態１の動作を示すフローチャート
【図５】本発明の実施の形態２における自動販売機の機能ブロック図
【図６】実施の形態２の動作を示すフローチャート
【図７】本発明の実施の形態３における自動販売機の機能ブロック図
【図８】実施の形態３の動作を示すフローチャート
【図９】本発明の実施の形態４における自動販売機の機能ブロック図
【図１０】実施の形態４の動作を示すフローチャート
【図１１】本発明の実施の形態５における自動販売機の機能ブロック図
【図１２】実施の形態５の動作を示すフローチャート
【図１３】本発明の実施の形態６における自動販売機の機能ブロック図
【図１４】実施の形態６の動作を示すフローチャート
【図１５】従来の自動販売機の正面図
【符号の説明】
【００８２】
１１  自動販売機本体
１４  販売対応面
３１  外扉
３２  商品見本パネル
３３  商品展示部
３４  化粧パネル
３６  金銭投入部
３６ａ  投入口照明部
３８  商品選択ボタン
４３  照明手段
４７  硬貨処理装置
８１ａ，８１ｂ，８１ｃ，８１ｄ，８１ｅ，８１ｆ  制御部
８２  紙幣処理装置
８４  人感検知手段
１００  時間帯別点滅設定手段
１０１  点滅切替手段
１０２  照明検知手段
１０３  照明パターン設定手段
【図１】
2009042882.tif 000003
【図３】
2009042882.tif 000004
【図４】
2009042882.tif 000005
【図５】
2009042882.tif 000006
【図６】
2009042882.tif 000007
【図７】
2009042882.tif 000008
【図８】
2009042882.tif 000009
【図９】
2009042882.tif 000010
【図１０】
2009042882.tif 000011
【図１１】
2009042882.tif 000012
【図１２】
2009042882.tif 000013
【図１３】
2009042882.tif 000014
【図１４】
2009042882.tif 000015
【図１５】
2009042882.tif 000016
【図２】
2009042882.tif 000017